(57)【特許請求の範囲】
【請求項１】
第１のマイクロホンと、
前記第１のマイクロホンから入力された音声データを記録する第１の制御部と、
他の記録装置と通信データを送受する通信部と、
を有し、
前記第１の制御部は、
前記第１のマイクロホンから入力された音声データの記録を継続できない場合、前記通信部から前記他の記録装置に対して、当該他の記録装置が有する第２のマイクロホンおよび第２の制御部による音声データの録音開始の要求を送信し、
前記録音開始の要求に応じて前記他の記録装置から録音開始の応答を前記通信部により受信した場合、前記第１のマイクロホンから入力された音声データの記録を終了する
記録装置。
【請求項２】
前記第１のマイクロホンから入力された音声データを記録する記憶部を更に有し、
前記第１の制御部は、
前記記憶部の記憶容量の残量が所定値を下回った場合に、前記他の記録装置に対して前記録音開始の要求を送信する
請求項１記載の記録装置。
【請求項３】
バッテリを更に有し、
前記第１の制御部は、
前記バッテリの残量が所定値を下回った場合に、前記他の記録装置に対して前記録音開始の要求を送信する
請求項１または２記載の記録装置。
【請求項４】
前記第１のマイクロホンから入力された音声データを記録する記憶部を更に有し、
前記記憶部および前記第１の制御部は、
前記音声データの記録を開始する前の前記通信部により当該通信部の通信可能圏内にある他の通信機器の識別情報を検出して前記記憶部に記憶し、
前記通信部および前記第１の制御部は、
前記他の通信機器に対して録音開始の要求を送信する場合、前記記憶部に記憶された前記識別情報を送信する
請求項１から３のいずれか一項記載の記録装置。
【請求項５】
第２のマイクロホンと、
前記第２のマイクロホンから入力された音声データを記録する第２の制御部と、
他の記録装置からの通信データを受信する通信部と、
を有し、
前記第２の制御部は、
前記他の記録装置からの録音開始の要求を前記通信部により受信した場合、前記第２のマイクロホンから入力された第２の音声データの記録を開始し、
前記他の記録装置の録音時に記録された第１の音声データを前記通信部により受信すると、受信した前記第１の音声データと、自身で記録した前記第２の音声データとを結合する
記録装置。
【請求項６】
前記通信部は、前記他の記録装置に通信データを送信可能であり、
前記第２の制御部は、
前記他の記録装置から受信した録音開始の要求に基づいて、前記第２のマイクロホンから入力された前記第２の音声データの記録が可能であるか否かを判断し、記録が可能である場合には前記第２のマイクロホンから入力された前記第２の音声データの記録を開始し、前記他の記録装置に対して録音開始の応答を前記通信部により送信させる
請求項５記載の記録装置。
【請求項７】
前記第２の制御部は、
前記第１の音声データと前記第２の音声データに含まれる特定の話者の音量レベルを揃えるようにデータの音量レベルを調整して結合する
請求項５または６記載の記録装置。
【発明の詳細な説明】
【技術分野】
【０００１】
本発明は、音声などを記録する記録装置に関する。
【背景技術】
【０００２】
近年、市場に流通しているたとえば携帯電話機には、録音機能、録画機能などを有するものがある。たとえば特許文献１は、ＩＣレコーダ機能を有する携帯電話機を開示する。
【先行技術文献】
【特許文献】
【０００３】
【特許文献１】特開２００２−３３０２２３号公報
【発明の概要】
【発明が解決しようとする課題】
【０００４】
しかしながら、特許文献１の携帯電話機は、たとえば携帯電話機のバッテリが切れた場合、録音を継続することができない。
また、携帯電話機のメモリの容量が一杯になった場合にも、特許文献１の携帯電話機は録音を継続することができない。
このように携帯電話機などの記録装置では、記録装置の性能により記録時間が制限されている。
【０００５】
本発明は、記録装置の性能に制限されることなく記録を継続できる記録装置を提供する。
【課題を解決するための手段】
【０００６】
本発明の第１の観点の記録装置は、第１のマイクロホンと、前記第１のマイクロホンから入力された音声データを記録する第１の制御部と、他の記録装置と通信データを送受する通信部と、を有し、前記第１の制御部は、前記第１のマイクロホンから入力された音声データの記録を継続できない場合、前記通信部から前記他の記録装置に対して、当該他の記録装置が有する第２のマイクロホンおよび第２の制御部による音声データの録音開始の要求を送信し、前記録音開始の要求に応じて前記他の記録装置から録音開始の応答を前記通信部により受信した場合、前記第１のマイクロホンから入力された音声データの記録を終了する。
【０００７】
好適には、前記第１のマイクロホンから入力された音声データを記録する記憶部を更に有し、前記第１の制御部は、前記記憶部の記憶容量の残量が所定値を下回った場合に、前記他の記録装置に対して前記録音開始の要求を送信してもよい。
【０００８】
好適には、バッテリを更に有し、前記第１の制御部は、前記バッテリの残量が所定値を下回った場合に、前記他の記録装置に対して前記録音開始の要求を送信してもよい。
【０００９】
好適には、前記第１のマイクロホンから入力された音声データを記録する記憶部を更に有し、前記記憶部および前記第１の制御部は、前記音声データの記録を開始する前の前記通信部により当該通信部の通信可能圏内にある他の通信機器の識別情報を検出して前記記憶部に記憶し、前記通信部および前記第１の制御部は、前記他の通信機器に対して録音開始の要求を送信する場合、前記記憶部に記憶された前記識別情報を送信してもよい。
【００１０】
本発明の第２の観点の記録装置は、第２のマイクロホンと、前記第２のマイクロホンから入力された音声データを記録する第２の制御部と、他の記録装置からの通信データを受信する通信部と、を有し、前記第２の制御部は、前記他の記録装置からの録音開始の要求を前記通信部により受信した場合、前記第２のマイクロホンから入力された第２の音声データの記録を開始し、前記他の記録装置の録音時に記録された第１の音声データを前記通信部により受信すると、受信した前記第１の音声データと、自身で記録した前記第２の音声データとを結合する。
【００１１】
好適には、前記通信部は、前記他の記録装置に通信データを送信可能であり、前記第２の制御部は、前記他の記録装置から受信した録音開始の要求に基づいて、前記第２のマイクロホンから入力された前記第２の音声データの記録が可能であるか否かを判断し、記録が可能である場合には前記第２のマイクロホンから入力された前記第２の音声データの記録を開始し、前記他の記録装置に対して録音開始の応答を前記通信部により送信させてもよい。
【００１２】
好適には、前記第２の制御部は、前記第１の音声データと前記第２の音声データに含まれる特定の話者の音量レベルを揃えるようにデータの音量レベルを調整して結合してもよい。
【発明の効果】
【００１６】
本発明では、記録装置の性能に制限されることなく記録を継続することができる。
【図面の簡単な説明】
【００１７】
【図１】図１は、本発明の実施形態に係る携帯電話機の外観の斜視図である。
【図２】図２は、図１の携帯電話機のハードウェア構成図である。
【図３】図３は、複数の携帯電話機が連携して録音する場合に各携帯電話機に実現される機能を示すブロック図である。
【図４】図４は、２台の携帯電話機によるグループ登録シーケンスの説明図である。
【図５】図５は、図４の第１携帯電話機によるグループ登録動作のフローチャートである。
【図６】図６は、図４の第２携帯電話機によるグループ登録動作のフローチャートである。
【図７】図７は、４台の携帯電話機によるグループ登録シーケンスの説明図である。
【図８】図８は、４台の携帯電話機についての同報登録シーケンスの説明図である。
【図９】図９は、２台の携帯電話機による連携録音シーケンスの説明図である。
【図１０】図１０は、図９の第１携帯電話機による連携録音制御のフローチャートである。
【図１１】図１１は、図９の第２携帯電話機による連携録音制御のフローチャートである。
【図１２】図１２は、４台の携帯電話機による連携録音シーケンスの説明図である。
【図１３】図１３は、４台の携帯電話機による録音データの結合処理シーケンスの説明図である。
【図１４】図１４は、携帯電話機が他の携帯電話機の音声データを結合する処理のフローチャートである。
【図１５】図１５は、図１４に対応する他の携帯電話機の処理のフローチャートである。
【発明を実施するための形態】
【００１８】
以下、本発明の実施形態を図面に関連付けて説明する。
本実施形態では、複数の携帯電話機１が連携して録音を継続する例について説明する。
【００１９】
図１は、本発明の実施形態に係る携帯電話機１の外観の斜視図である。
図１の携帯電話機１は、上部筐体１０１、下部筐体１０２およびヒンジ部１０３を有する。
【００２０】
上部筐体１０１および下部筐体１０２は、略同一サイズの長方形形状を有する。
上部筐体１０１と下部筐体１０２とは、ヒンジ部１０３により開閉可能に連結される。
図１は、上部筐体１０１と下部筐体１０２とを開いた状態である。
上部筐体１０１には、表示部１３が設けられる。
下部筐体１０２には、操作部１２の複数の入力キーが設けられる。
【００２１】
図２は、図１の携帯電話機１のハードウェア構成図である。
図２の携帯電話機１は、無線通信部（ＲＦ）１１、操作部（ＫＥＹ）１２、表示部（ＤＩＳＰ）１３、音声モデム部（ＭＯＤＥＭ）１４、短距離通信部（ＳＲ＿ＲＦ）１５、タイマ（ＲＴＣ）１６、ＣＰＵ（制御部）１７、記憶部（ＭＥＭ）１８、およびこれらを接続するシステムバス１９を有する。
また、図２の携帯電話機１は、バッテリ（ＢＡＴ）２０と、検出部（ＤＴＣＴ）２１とを有する。
図２の携帯電話機１は、バッテリ２０に蓄電された電力で動作する。
【００２２】
無線通信部１１は、図示しない基地局との通信チャネルを確立し、基地局と通信データを送受する。
そして、無線通信部１１は、ＣＰＵ１７からの入力信号に含まれる通信データを基地局へ無線送信する。
また、無線通信部１１は、基地局から受信した通信データを含む信号をＣＰＵ１７へ出力する。
【００２３】
操作部１２は、複数の入力キーを有する。
複数の入力キーには、たとえばテンキー、電源キー、通話キー、数字キー、文字キー、発信キーなどがある。
入力キーは、図１に示すように、携帯電話機１の下部筐体１０２に配置される。
そして、操作部１２は、ユーザにより操作された入力キーに対応する入力データを含む操作信号をＣＰＵ１７へ出力する。
【００２４】
表示部１３は、ＬＣＤ（Liquid Crystal Display Device）や有機ＥＬ（Electro-Luminescence）デバイスなどを有する。
ＬＣＤまたは有機ＥＬデバイスは、図に示すように、携帯電話機１の上部筐体１０１に配置される。
そして、表示部１３は、ＣＰＵ１７から入力された表示信号に含まれる表示データを表示する。
これにより、表示部１３には、たとえば連携録音用の操作画面を表示する。
【００２５】
音声モデム部１４は、スピーカ２２およびマイクロホン２３に接続される。
そして、音声モデム部１４は、マイクロホン２３に入力された音声をサンプリングし、音声データを含む信号をＣＰＵ１７へ出力する。
これにより、携帯電話機１は、録音用の音声データを生成する。
また、音声モデム部１４は、ＣＰＵ１７からの入力信号に含まれる音声データによりスピーカ２２を駆動する。
これにより、スピーカ２２から、たとえば記録された音声データが再生される。
【００２６】
短距離通信部１５は、たとえば数メートル以内に存在する他の携帯電話機１の短距離通信部１５と通信データを送受する。
そして、短距離通信部１５は、ＣＰＵ１７からの入力信号に含まれる通信データを他の携帯電話機１へ無線送信する。
また、短距離通信部１５は、他の携帯電話機１から受信した通信データを含む信号をＣＰＵ１７へ出力する。
【００２７】
タイマ１６は、時刻、時間などを計測する。
タイマ１６は、たとえば基地局の時刻により修正された時刻を計測する。
【００２８】
検出部２１は、バッテリ２０の蓄電電力の残量を検出する。検出部２１は、検出した残量の値を含む信号をＣＰＵ１７へ出力する。
【００２９】
記憶部１８は、ＲＯＭ、ＲＡＭ、半導体メモリなどを有する。
記憶部１８は、ＣＰＵ１７が読み込んで実行可能なプログラム、ＣＰＵ１７が使用するデータなどを記憶する。
ＣＰＵ１７が使用するデータには、携帯電話機１で録音した録音データ３３がある。
記憶部１８に記憶されるプログラムは、たとえばＣＤ−ＲＯＭなどのコンピュータ読み取り可能な記録媒体からインストールしたものでも、インターネットなどの伝送媒体からダウンロードしてインストールしたものでもよい。
【００３０】
ＣＰＵ１７は、プログラムを実行するコンピュータである。
そして、ＣＰＵ１７が、記憶部１８に記憶されているプログラムを実行することで、携帯電話機１の制御部が実現される。
制御部は、携帯電話機１の動作を制御する。
【００３１】
図３は、複数の携帯電話機１が連携して録音する場合に各携帯電話機１に実現される機能を示すブロック図である。
連携録音の場合、各携帯電話機１のＣＰＵ１７には、録音実行部（ＥＸＥＣ）３１と、録音制御部（ＣＴＲＬ）３２とが実現される。また、各携帯電話機１の記憶部１８は、録音データ（ＲＥＣ＿ＤＡＴ）３３、ＩＤデータ（ＩＤ＿ＤＡＴ）３４、グループデータ（ＧＰ＿ＤＡＴ）３５などを記憶する。
【００３２】
ＩＤデータ３４は、連携録音機能を有する複数の携帯電話機１を識別するための識別情報を有する。ＩＤデータ３４は、たとえは複数の数字、文字などにより構成されていればよい。なお、ＩＤデータ３４として、携帯電話機１の通話のためのＳＩＭデータなどを利用してもよい。
【００３３】
グループデータ３５は、連携録音する複数の携帯電話機１についての情報を有する。
グループデータ３５は、たとえば連携録音する複数の携帯電話機１のＩＤデータ３４のリストを有する。
また、グループデータ３５は、連携録音毎に発行される固有の録音番号などの情報を含んでいてもよい。
【００３４】
録音データ３３は、連携録音において各携帯電話機１において録音された音声のデータである。
録音データ３３は、音声のデータと、付加データとを有する。付加データは、録音開始時刻、録音終了時刻などを含む。
なお、付加データは、グループデータ３５の情報を含んでもよい。
付加データにグループデータ３５の情報を持たせることにより、記憶部１８に複数の録音データ３３が記録されている状態において、各録音データ３３が連携録音によるものか否か、またはどの連携録音によるものなのか否かを判別可能になる。
【００３５】
録音実行部３１は、連携録音において各携帯電話機１での録音処理を実行する。
具体的には、録音実行部３１は、音声モデム部１４から入力される音声データを記憶部１８に蓄積保存する。
これにより、記憶部１８に録音データ３３が生成される。
【００３６】
録音制御部３２は、複数の携帯電話機１における各携帯電話機１での連携録音動作を制御する。
たとえば録音制御部３２は、操作部１２からグループ化のための入力があると、連携録音可能な他の携帯電話機１を呼び出し、グループデータ３５を生成し、記録部に保存する。
また、操作部１２から連携録音開始の指示が入力されると、録音制御部３２は、録音実行部３１に記録開始を指示する。
また、録音制御部３２は、録音実行部３１による記録実行中に、記憶部１８の記憶容量の残量と、バッテリ２０の残量とを監視する。
そして、いずれかの残量が所定値以下になると、録音制御部３２は、他の携帯電話機１による録音を引き継がせる連携録音処理を実行する。
連携録音処理において、録音制御部３２は、短距離通信部１５から記録開始要求を送信し、短距離通信部１５によりその応答を受信する。その後、録音制御部３２は、録音実行部３１に記録停止を指示する。
この他にも例えば、録音制御部３２は、連携録音終了後に、操作部１２からマージ処理開始の指示が入力されると、連携録音した他の携帯電話機１から、それぞれの他の携帯電話機１に記録した録音データ３３を集め、これらを結合するマージ処理を実行する。
【００３７】
以下、以上の構成を有する複数の携帯電話機１による録音連係動作について説明する。
【００３８】
［２台の携帯電話機１でのグループ登録］
図４は、２台の携帯電話機１によるグループ登録シーケンスの説明図である。
図４には、第１携帯電話機１と、第２携帯電話機１とが図示されている。第１携帯電話機１と、第２携帯電話機１とは、短距離通信により互いに通信可能な圏内に存在する。
【００３９】
グループ登録処理において、たとえば第１携帯電話機１において連携録音を開始する場合、第１携帯電話機１は、グループ登録要求を送信する（ステップＳＴ１）。
第２携帯電話機１は、グループ登録要求を受信すると、グループ登録の可否を通知するための返信メッセージを送信する（ステップＳＴ２）。
第１携帯電話機１は、グループ登録可能の返信メッセージを受信すると、グループデータ３５に第２携帯電話機１を登録する（ステップＳＴ３）。
【００４０】
図５は、図４の第１携帯電話機１の録音制御部３２のグループ登録動作のフローチャートである。
【００４１】
グループ登録処理において、第１携帯電話機１の録音制御部３２は、操作部１２から連携録音の指示が入力されると、連係録音のためのグループ登録処理を開始する。
録音制御部３２は、短距離通信部１５から、グループ登録要求を送信する（ステップＳＴ１１）。
また、短距離通信部１５が第２携帯電話機１からの返信メッセージを受信すると、録音制御部３２は、当該返信メッセージに基づいて登録の可否を判断する（ステップＳＴ１２、ＳＴ１３）。
そして、登録可能である場合には、録音制御部３２は、第２携帯電話機１をグループデータ３５に登録する（ステップＳＴ１４）。録音制御部３２は、返信メッセージに含まれる第２携帯電話機１のＩＤデータ３４などをグループデータ３５に登録する。
【００４２】
図６は、図４の第２携帯電話機１の録音制御部３２のグループ登録動作のフローチャートである。
【００４３】
第２携帯電話機１の短距離通信部１５がグループ登録要求を受信すると（ステップＳＴ２１）、録音制御部３２は、第２携帯電話機１において連携録音が可能であるか否かを判断する。
具体的には、録音制御部３２は、第２携帯電話機１のバッテリ２０の電池残量が３０％以上であるか否かを判断する（ステップＳＴ２２）。
また、録音制御部３２は、第２携帯電話機１の記憶部１８のメモリ残容量が３０％以上であるか否かを判断する（ステップＳＴ２３）。
そして、バッテリ２０の電池残量が３０％以上であり、かつ、メモリ残容量が３０％以上である場合、録音制御部３２は、グループ登録可能の返信メッセージを、短距離通信部１５から送信する（ステップＳＴ２４）。この返信メッセージには、第２携帯電話機１のＩＤデータ３４などを含まれる。
これに対して、バッテリ２０の電池残量が３０％未満、または、メモリ残容量が３０％未満である場合、録音制御部３２は、グループ登録不可の返信メッセージを、短距離通信部１５から送信する（ステップＳＴ２４）。この返信メッセージには、第２携帯電話機１のＩＤデータ３４などを含まれる。
【００４４】
以上の処理により、図４の２台の携帯電話機１は、連携録音を開始することができる状態になる。
【００４５】
［４台の携帯電話機１でのグループ登録（個別登録）］
図７は、４台の携帯電話機１によるグループ登録シーケンスの説明図である。
図７には、第１携帯電話機１、第２携帯電話機１、第３携帯電話機１、第４携帯電話機１が図示されている。これら複数の携帯電話機１は、短距離通信により互いに通信可能な圏内に存在する。
【００４６】
図７でのグループ登録処理では、携帯電話機１毎に個別に登録処理を実行する。
図７のグループ登録処理において、たとえば第１携帯電話機１において連携録音を開始する場合、第１携帯電話機１は、第２携帯電話機１へのグループ登録要求を送信する（ステップＳＴ３１）。
第２携帯電話機１は、グループ登録要求を受信すると、グループ登録の可否を通知するための返信メッセージを送信する（ステップＳＴ３２）。
第１携帯電話機１は、第２携帯電話機１からグループ登録可能の返信メッセージを受信すると、グループデータ３５に第２携帯電話機１を登録する（ステップＳＴ３３）。
【００４７】
次に、第１携帯電話機１は、第３携帯電話機１についてのグループ登録処理を実行する。
第１携帯電話機１は、第３携帯電話機１へグループ登録要求を送信し（ステップＳＴ３４）、第３携帯電話機１は返信メッセージを返信し（ステップＳＴ３５）、第１携帯電話機１は第３携帯電話機１をグループデータ３５に登録する（ステップＳＴ３６）。
次に、第１携帯電話機１は、第４携帯電話機１についてのグループ登録処理を実行する。
第１携帯電話機１は、第４携帯電話機１へグループ登録要求を送信し（ステップＳＴ３７）、第４携帯電話機１は返信メッセージを返信し（ステップＳＴ３８）、第１携帯電話機１は第４携帯電話機１をグループデータ３５に登録する（ステップＳＴ３９）。
【００４８】
［４台の携帯電話機１でのグループ登録（同報登録）］
図８は、４台の携帯電話機１についての同報登録シーケンスの説明図である。
図８のグループ登録処理において、たとえば第１携帯電話機１において連携録音を開始する場合、第１携帯電話機１は、通信可能なすべての携帯電話機１に対するグループ登録要求を送信する（ステップＳＴ４１）。
そして、第２携帯電話機１は、この同報通知されたグループ登録要求を受信すると、グループ登録の可否を通知するための返信メッセージを送信する（ステップＳＴ４２）。第１携帯電話機１は、第２携帯電話機１からグループ登録可能の返信メッセージを受信すると、グループデータ３５に第２携帯電話機１を登録する（ステップＳＴ４３）。
また、第３携帯電話機１は、同報通知されたグループ登録要求を受信すると、グループ登録の可否を通知するための返信メッセージを送信する（ステップＳＴ４４）。第１携帯電話機１は、第３携帯電話機１からグループ登録可能の返信メッセージを受信すると、グループデータ３５に第３携帯電話機１を登録する（ステップＳＴ４５）。
また、第４携帯電話機１は、同報通知されたグループ登録要求を受信すると、グループ登録の可否を通知するための返信メッセージを送信する（ステップＳＴ４６）。第１携帯電話機１は、第４携帯電話機１からグループ登録可能の返信メッセージを受信すると、グループデータ３５に第４携帯電話機１を登録する（ステップＳＴ４７）。
また、第１携帯電話機１の録音制御部３２は、同報通知をしてから所定の時間がタイマ１６により計測されると、返信メッセージの受付期間を終了する（ステップＳＴ４８）。
【００４９】
［２台の携帯電話機１での連携録音］
図９は、２台の携帯電話機１による連携録音シーケンスの説明図である。図９には、第１携帯電話機１と、第２携帯電話機１とが図示されている。
連携録音において、たとえば第１携帯電話機１の録音制御部３２は、録音実行部３１に録音を開始させる（ステップＳＴ５１）。
録音を開始した第１携帯電話機１では、録音制御部３２は、携帯電話機１のバッテリ２０、記憶部１８などのリソースの残量を監視する（ステップＳＴ５２）。
そして、バッテリ２０の残量または記憶部１８の残容量がたとえば１０％未満になると、第１携帯電話機１は、第２携帯電話機１へ連携録音要求を送信する（ステップＳＴ５３）。
第２携帯電話機１は、録音を開始し、連携起動結果通知を第１携帯電話機１へ送信する（ステップＳＴ５４）。
【００５０】
図１０は、図９の第１携帯電話機１の録音制御部３２の連携録音制御のフローチャートである。
【００５１】
連携録音制御において、第１携帯電話機１の録音制御部３２は、操作部１２から連携録音の指示が入力されると、連係録音のために録音実行部３１に録音開示を指示する（ステップＳＴ６１）。
これにより、録音実行部３１は、音声モデム部１４を通じてマイクロホン２３から入力された音声についての録音データ３３を記憶部１８に蓄積保存を開始する。
また、録音実行部３１は、録音データ３３に録音開始時刻を記録する。
【００５２】
連携録音を開始した後、第１携帯電話機１の録音制御部３２は、周期的に自機での録音を終了するか否かを判断する。
具体的には、録音制御部３２は、バッテリ２０の残量が１０％未満であるか否かを判断する（ステップＳＴ６２）。
また、録音制御部３２は、記憶部１８の残容量が１０％未満であるか否かを判断する（ステップＳＴ６３）。
【００５３】
そして、バッテリ２０の残量が１０％以上であり、かつ、記憶部１８の残容量が１０％以上である場合、録音制御部３２は、自機での録音を終了しない（ステップＳＴ６４）。
これに対して、バッテリ２０の残量が１０％未満であり、または記憶部１８の残容量が１０％未満である場合、録音制御部３２は、自機での録音の終了処理を開始する。
具体的には、録音制御部３２は、記憶部１８に記憶されたグループリストにより次の連携先の携帯電話機１を特定する（ステップＳＴ６５）。
そして、録音制御部３２は、特定した他の携帯電話機１に対して、短距離通信部１５により連携起動要求を送信させる（ステップＳＴ６６）。
【００５４】
その後、起動を要求した他の携帯電話機１から短距離通信部１５が連携起動結果を受信すると（ステップＳＴ６７）、録音制御部３２は、当該連携起動結果に基づいて起動がなされたか否かを判断する（ステップＳＴ６８）。
そして、起動を要求した他の携帯電話機１において録音機能が正常に起動されている場合、録音制御部３２は、記憶部１８に記憶されたグループデータ３５から当該他の携帯電話機１を削除する（ステップＳＴ６９）。録音制御部３２は、グループデータ３５において、当該他の携帯電話機１を無効または使用済みに設定してもよい。
また、録音制御部３２は、削除処理後のグループデータ３５を短距離通信部１５から他の携帯電話機１へ送信する（ステップＳＴ７０）。
その後、録音制御部３２は、録音実行部３１に録音停止を指示する（ステップＳＴ７１）。録音実行部３１は、記憶部１８への録音データ３３の記録を終了する。また、録音実行部３１は、録音データ３３に録音終了時刻と、グループデータ３５を記録する。
【００５５】
これに対して、起動を要求した他の携帯電話機１において録音機能が正常に起動されていない場合、録音制御部３２は、記憶部１８に記憶されたグループデータ３５から当該他の携帯電話機１を削除する（ステップＳＴ７２）。
その後、録音制御部３２は、自機での録音を終了すると判断し（ステップＳＴ６４）、録音実行部３１に録音停止を指示する（ステップＳＴ７１）。録音実行部３１は、記憶部１８への録音データ３３の記録を終了する。
また、録音実行部３１は、録音データ３３に録音終了時刻と、グループデータ３５を記録する。
【００５６】
図１１は、図９の第２携帯電話機１の録音制御部３２の連携録音制御のフローチャートである。
【００５７】
第２携帯電話機１の短距離通信部１５が連携起動要求を受信すると（ステップＳＴ８１）、録音制御部３２は、第２携帯電話機１において連携録音が可能であるか否かを判断する。
具体的には、録音制御部３２は、第２携帯電話機１のバッテリ２０の電池残量が３０％以上であるか否かを判断する（ステップＳＴ８２）。
また、録音制御部３２は、第２携帯電話機１の記憶部１８のメモリ残容量が３０％以上であるか否かを判断する（ステップＳＴ８３）。
【００５８】
そして、バッテリ２０の電池残量が３０％以上であり、かつ、メモリ残容量が３０％以上である場合、録音制御部３２は、連係録音のために録音実行部３１に録音開示を指示する（ステップＳＴ８４）。
その後、録音制御部３２は、連携録音の起動が成功したか否かを判断する（ステップＳＴ８５）。
連携録音の起動が成功している場合、録音制御部３２は、連携録音が開始されたことを示す連携起動結果を、短距離通信部１５から送信させる（ステップＳＴ８６）。
その後、短距離通信部１５がグループデータ３５を受信すると、録音制御部３２は、受信したグループデータ３５を記憶部１８に保存する。
【００５９】
これに対して、バッテリ２０の電池残量が３０％未満、または、メモリ残容量が３０％未満である場合、録音制御部３２は、連携録音ができないことを示す連携起動結果を、短距離通信部１５から送信させる（ステップＳＴ８８）。
また、起動が成功しなかった場合にも、録音制御部３２は、連携録音ができないことを示す連携起動結果を、短距離通信部１５から送信させる（ステップＳＴ８８）。
【００６０】
［４台の携帯電話機１での連携録音］
図１２は、４台の携帯電話機１による連携録音シーケンスの説明図である。
図１２には、第１携帯電話機１、第２携帯電話機１、第３携帯電話機１、第４携帯電話機１が図示されている。
図１２の連携録音処理は、第３携帯電話機１が連携録音を開始できない場合の例である。
【００６１】
連携録音において、たとえば第１携帯電話機１の録音制御部３２は、録音実行部３１に録音を開始させる（ステップＳＴ９１）。
録音を開始した第１携帯電話機１では、録音制御部３２は、携帯電話機１のバッテリ２０、記憶部１８などのリソースの残量を監視する（ステップＳＴ９２）。
そして、バッテリ２０の残量または記憶部１８の残容量がたとえば１０％未満になると、第１携帯電話機１は、第２携帯電話機１へ連携録音要求を送信する（ステップＳＴ９３）。
第２携帯電話機１は、録音を開始し、連携起動結果通知を第１携帯電話機１へ送信する（ステップＳＴ９４）。
第１携帯電話機１は、録音を停止し、グループデータ３５を第２携帯電話機１へ送信する（ステップＳＴ９５）。
【００６２】
第１携帯電話機１の後に続いて録音を開始した第２携帯電話機１では、録音制御部３２は、携帯電話機１のバッテリ２０、記憶部１８などのリソースの残量を監視する（ステップＳＴ９６）。
そして、バッテリ２０の残量または記憶部１８の残容量がたとえば１０％未満になると、第２携帯電話機１は、第３携帯電話機１へ連携録音要求を送信する（ステップＳＴ９７）。
第３携帯電話機１は、起動に失敗すると（ステップＳＴ９８）、連携起動結果通知を第２携帯電話機１へ送信する（ステップＳＴ９９）。
【００６３】
起動失敗の連携起動結果通知を受信すると、第２携帯電話機１は、グループデータ３５から第３携帯電話機１を削除し、グループデータ３５に残っている第４携帯電話機１へ連携録音要求を送信する（ステップＳＴ１００）。
第４携帯電話機１は、録音を開始し、連携起動結果通知を第２携帯電話機１へ送信する（ステップＳＴ１０１）。
第２携帯電話機１は、録音を停止し、グループデータ３５を第４携帯電話機１へ送信する（ステップＳＴ１０２）。
なお、第４携帯電話機１は、グループデータ３５に基づいてその最後に登録されているか否かを判断し、最後に登録されていることを確認した場合には、バッテリ２０の残量、記憶部１８の残容量に関係なく録音を継続してもよい。
これにより、第４携帯電話機１は、バッテリ２０または記憶部１８のいずれかが尽きるまで録音を継続できる。
【００６４】
［４台の携帯電話機１による録音データ３３の結合処理（マージ処理）］
図１３は、４台の携帯電話機１による録音データ３３の結合処理シーケンスの説明図である。
図１３には、第１携帯電話機１、第２携帯電話機１、第３携帯電話機１、第４携帯電話機１が図示されている。
図１３は、第１携帯電話機１が録音した後、第２携帯電話機１、第３携帯電話機１、第４携帯電話機１の順番で連携録音をした場合の例である。
【００６５】
録音データ３３の結合処理において、たとえば第１携帯電話機１の録音制御部３２は、操作部１２の操作により結合処理を開始する（ステップＳＴ１１１）。
録音制御部３２は、まず、自機の記憶部１８に記憶されている録音データ３３から、第１携帯電話機１の所有者音声を検索する（ステップＳＴ１１２）。
第１携帯電話機１は、その所有者に近いところにおいて録音している。このため、録音制御部３２は、たとえば複数の話者の音声成分のうち、最も平均音量が高い音声成分の話者を所有者として特定すればよい。
次に、録音制御部３２は、短距離通信部１５から、第２携帯電話機１に対する録音データ３３の送信要求を送信する（ステップＳＴ１１３）。
この録音データ３３の送信要求を受信すると、第２携帯電話機１の録音制御部３２は、記憶部１８から録音データ３３を読み込み（ステップＳＴ１１４）、第１携帯電話機１へ送信する（ステップＳＴ１１５）。
【００６６】
第２携帯電話機１の録音データ３３を受信すると、第１携帯電話機１の録音制御部３２は、受信した録音データ３３と自機の録音データ３３との結合処理を実行する（ステップＳＴ１１６）。
録音制御部３２は、たとえば自機の録音データ３３における録音終了時刻の位置と、受信した第２携帯電話機１の録音データ３３における録音開始時刻の位置とから、録音データ３３同士の重なりを判断し、これらを結合する。
また、録音制御部３２は、第２携帯電話機１の録音データ３３における第１携帯電話機１の所有者の音声成分の音量と、第１携帯電話機１の所有者の音声成分の音量とが揃うように、第２携帯電話機１の録音データ３３の音量レベルを調整して結合する。
【００６７】
第２携帯電話機１の録音データ３３の結合処理を終えると、第１携帯電話機１の録音制御部３２は、第３携帯電話機１および第４携帯電話機１について同様の処理を繰り返す。
具体的には、第１携帯電話機１は、第３携帯電話機１に対する録音データ３３の送信要求を送信する（ステップＳＴ１１７）。第３携帯電話機１は録音データ３３を送信する（ステップＳＴ１１８）。第１携帯電話機１の録音制御部３２は、第３携帯電話機１の録音データ３３の結合処理を実行する（ステップＳＴ１１９）。
また、第１携帯電話機１は、第４携帯電話機１に対する録音データ３３の送信要求を送信する（ステップＳＴ１２０）。第４携帯電話機１は録音データ３３を送信する（ステップＳＴ１２１）。第１携帯電話機１の録音制御部３２は、第４携帯電話機１の録音データ３３の結合処理を実行する（ステップＳＴ１２２）。
以上の一連の処理により、第１携帯電話機１の録音制御部３２は、第１携帯電話機１の録音データ３３と、第２携帯電話機１の録音データ３３と、第３携帯電話機１の録音データ３３と、第４携帯電話機１の録音データ３３とを結合した録音データ３３を生成する。
【００６８】
図１４は、第１携帯電話機１の録音制御部３２が、他の１個の携帯電話機１の録音データ３３を結合する処理のフローチャートである。
【００６９】
図１４において、録音制御部３２は、たとえば操作部１２の操作により結合処理を開始する（ステップＳＴ１３１）。
録音データ３３の結合処理において、録音制御部３２は、まず、自機の記憶部１８に記憶されている録音データ３３について録音データ３３を解析する（ステップＳＴ１３２）。
そして、録音レベルが最大となる話者を判断し（ステップＳＴ１３３）、その話者を第１携帯電話機１の所有者音声に設定する（ステップＳＴ１３４）。
【００７０】
次に、録音制御部３２は、短距離通信部１５により録音データ３３の送信要求を送信し（ステップＳＴ１３５）、他の携帯電話機１の録音データ３３を受信する（ステップＳＴ１３６）。
次に、録音制御部３２は、受信した録音データ３３についての所有者の音声を特定し（ステップＳＴ１３７）、イコライジング処理を実行する（ステップＳＴ１３８）。
次に、録音制御部３２は、イコライジング処理後の受信した録音データ３３と、自機の録音データ３３とを結合する（ステップＳＴ１３９）。
【００７１】
図１５は、図１４の第１携帯電話機１により録音データ３３が要求される他の携帯電話機１の処理のフローチャートである。
【００７２】
他の携帯電話機１の録音制御部３２は、短距離通信部１５により録音データ３３の送信要求を受信する（ステップＳＴ１４１）。
次に、録音制御部３２は、記憶部１８を検索し、要求に係る録音データ３３があるか否かを判断する（ステップＳＴ１４２）。
そして、要求に係る録音データ３３がある場合、録音制御部３２は、当該録音データ３３を読み込んで、短距離通信部１５から第１携帯電話機１へ送信する（ステップＳＴ１４３）。
また、要求に係る録音データ３３がない場合、録音制御部３２は、録音データ３３を送信することなく処理を終了する。
【００７３】
以上のように、本実施形態の携帯電話機１では、バッテリ２０の残量または記憶部１８の記憶容量の残量が所定値を下回った場合、録音制御部３２は、録音を継続できないと判断する。
そして、録音制御部３２は、短距離通信部１５により他の携帯電話機１へ録音開始要求を送信させる。
また、録音開始要求を受信した他の携帯電話機１では、録音制御部３２は、自機において録音可能であるか否かを判断し、録音可能である場合にはその旨の応答し、録音を開始する。
また、他の携帯電話機１に対して録音開始要求を送信した携帯電話機１では、他の携帯電話機１からの録音可能の応答を受信すると、録音制御部３２により録音が終了される。
よって、本実施形態では、録音中の携帯電話機１においてバッテリ２０の電力切れまたは記憶部１８の容量が不足しそうな場合には、事前に他の携帯電話機１により録音開始させ、録音を継続することができる。
【００７４】
また、本実施形態では、複数の携帯電話機１による録音を終了した後には、携帯電話機１は、他の携帯電話機１から録音データ３３を受信し、音量を調整しながら、自らの記憶部１８に記憶された記録データ３３と結合する。
よって、携帯電話機１は、複数の携帯電話機１による録音データ３３を得ることができる。
【００７５】
また、本実施形態では、複数の携帯電話機１による連携録音の開始前に、１個の携帯電話機１が残りの携帯電話機１と通信し、当該複数の携帯電話機１をグループ化する。
よって、本実施形態では、連携録音時に、グループ化されていない別の携帯電話機が短距離通信可能な圏内に存在していたとしても、当該別の携帯電話機を除いた複数の携帯電話機１により連携録音が可能になる。
たとえば２つのグループが１つの会議室で打ち合わせをする場合に、互いのグループの録音が交じり合わないようにすることができる。
【００７６】
以上の実施形態は、本発明の好適な実施形態の例であるが、本発明は、これに限定されるものではなく、発明の要旨を逸脱しない範囲において種々の変形または変更が可能のである。
【００７７】
たとえば上記実施形態では、携帯電話機１は、マイクロホン２３を有し、音声を録音している。
この他にも例えば、携帯電話機１は、たとえばテレビジョンチューナ、カメラなどを有し、画像を記録してもよい。
【００７８】
上記実施形態では、携帯電話機１に設けられた記憶部１８に、録音データ３３を記録している。
この他にも例えば、携帯電話機１は、当該携帯電話機１に対して挿抜可能な半導体メモリに、録音データ３３を記録してもよい。半導体メモリにも、物理的な記憶容量の制限がある。
【００７９】
上記実施形態では、携帯電話機１は、他の携帯電話機１との連携録音のために短距離通信部１５を使用する。
この他にも例えば、携帯電話機１は、無線通信部１１を使用してもよい。
【００８０】
上記実施形態では、携帯電話機１は、短距離通信部１５の呼び出しに応じた他の携帯電話機１をグループ化している。
この他にも例えば、携帯電話機１は、グループ化のための所定の呼び出し音をスピーカ２２から出力し、当該スピーカ２２の呼び出し音を検出した他の携帯電話機１をグループ化するようにしてもよい。
また、この所定の呼び出し音は、予めグループ化が予定されている複数の携帯電話機１毎に異なるものに、ユーザにより設定可能にしてもよい。
これにより、他のグループが同席している環境下において、在席している同一グループ内の複数の携帯電話機１によるグループ化を実行し、当該複数の携帯電話機１により連携録音が可能になる。
また、呼び出し音によりグループ化することによって、音声を共有可能な携帯電話機同士でのグループ化が可能となる。
なお、ユーザ設定可能な呼び出し音は、たとえば録音データ３３として記憶部に記憶されていればよい。
【００８１】
上記実施形態は、本発明を携帯電話機１に適用した例である。
この他にも例えば、本発明は、ＰＨＳ端末、ＰＤＡ、携帯ゲーム機、携帯ナビゲーション機器、携帯型のコンピュータ装置などの携帯電子機器を、携帯記録装置にする場合に適用できる。
さらに他にも例えば、本発明は、パーソナルコンピュータ装置、その他の電子機器に録音や録画の機能を設ける場合に適用することもできる。
【符号の説明】
【００８２】
１…携帯電話機（記録装置）、１４…音声モデム部（取得部）、１５…短距離通信部（報知部、検出部）、１８…記憶部、２０…バッテリ、２２…スピーカ、２３…マイクロホン、３２…録音制御部（制御部）、３３…録音データ（記録データ）、３４…ＩＤデータ（識別情報）、３５…グループデータ
【図１】
0005584451.tif 000002
【図２】
0005584451.tif 000003
【図３】
0005584451.tif 000004
【図４】
0005584451.tif 000005
【図５】
0005584451.tif 000006
【図６】
0005584451.tif 000007
【図７】
0005584451.tif 000008
【図８】
0005584451.tif 000009
【図９】
0005584451.tif 000010
【図１０】
0005584451.tif 000011
【図１１】
0005584451.tif 000012
【図１２】
0005584451.tif 000013
【図１３】
0005584451.tif 000014
【図１４】
0005584451.tif 000015
【図１５】
0005584451.tif 000016